(57)【要約】【課題】  作物を擁護しながら液体を散布でき、風などの影響を受けにくいようにして、肥料や農薬などの液体を的確に散布できる液体散布装置を提供すること。【解決手段】    圧送される液体を散布する為の散布部を備えた液体散布装置であって、当該散布部分は、当該圧送される液体を下方に向かって噴射させる上部噴射ノズルを備えた上部フレームと、当該上部フレームの長さ方向端部に設けられ、前記上部噴射ノズルから噴射される液体と交差する向きに圧送される液体を噴射させる側部噴射ノズルを備えた側部フレームとを具備し、当該側部フレームは、前記上部フレームに対して揺動自在に設けた。【選択図】図１
0003208348.tif 000002
【実用新案登録請求の範囲】
【請求項１】
圧送される液体を散布する為の散布部を備えた液体散布装置であって、
当該散布部分は、当該圧送される液体を下方に向かって噴射させる上部噴射ノズルを備えた上部フレームと、
当該上部フレームの長さ方向端部に設けられ、前記上部噴射ノズルから噴射される液体と交差する向きに圧送される液体を噴射させる側部噴射ノズルを備えた側部フレームとを具備し、
当該側部フレームは、前記上部フレームに対して揺動自在に設けられていることを特徴とする液体散布装置。
【請求項２】
前記側部フレームは、前記上部フレームの長さ方向両側に設けられており、
当該上部フレームと、その両端部に設けられた２つの側部フレームとからなるフレーム部は、全体として亀甲括弧形状に形成されており、
前記２つの側部フレームは、相互に向かい合う方向に揺動自在に、前記上部フレームに設けられている、請求項１に記載の液体散布装置。
【請求項３】
前記上部フレームには、把持部を備える操作杵が立ち上げ状に設けられると共に、使用者に装着する吊り下げ紐が連結されている、請求項１又は２に記載の液体散布装置。
【請求項４】
更に、前記上部噴射ノズル及び側部噴射ノズルの少なくとも何れには、圧送される液体の噴射を制御する開閉手段が設けられている、請求項１〜３の何れか一項に記載の液体散布装置。
【考案の詳細な説明】
【技術分野】
【０００１】
本考案は、甫場や作物などに肥料や薬剤などの液体を散布する為の液体散布機に関する。特に、所定の範囲にだけ液体を散布することができ、液体の散布方向をコントロールする事ができる液体散布機に関する。
【背景技術】
【０００２】
農耕地で農作物を栽培する際には、農作物の生育度合いに応じて、肥料や除草剤などを散布することが行われている。かかる農薬や肥料は、粒状、粉状、液状など、様々な形態のものが提供されており、この内、液状の農薬や肥料を散布する為には噴霧器等の散布機が使用されている。
【０００３】
そしてこの液状の農薬や肥料を散布する散布機としては、スピードスプレーヤー等の様な自走式の大型のものから、肩に架けたり背負ったりして使用する小型の散布機が使用されている。
【０００４】
例えば、特許文献１（特開平１１−２８３９７号公報）では、作業者が背負って農薬などを散布するバッテリー式噴霧器が提案されている。そして、この文献には、「液体の散布には噴霧機が使用される。動力源の選択により、バッテリー式、エンジン式、或いはコード式の噴霧機がある。背負いタイプの噴霧機が、使い勝手の点から好適に使用される」ことが開示されている。
【０００５】
また、この様な小型の噴霧器においても、農薬や肥料を散布する場所（土壌、果樹、又は作物など）に応じて様々な構造のものが提案されている。この内、農耕地、特に農耕地に形成した畝間に除草剤を散布するのに適した液体散布装置として、特許文献２が提案されている。この特許文献２（特開２００９−１４２１６８号公報）では、土壌に液体を散布するのに用いられ、特に畝間の除草作業に用いて好適な液体散布装置が提案されている。かかる液体散布装置は、液体を散布すべき土壌の上に配置されるスプラッシュガードと、このスプラッシュガードを移動させるアーム状のハンドルとを備え、前記スプラッシュガードは、前記ハンドルが連結する上部フレームと、この上部フレームの両側に設けられる左右一対の側壁とを有し、前記上部フレームには、前記両側壁の間で液体を下方に向けて噴出するノズルが取り付けられている。
【０００６】
そして、特許文献３（特開２００７−２５９７８１号公報）では、農作物の株元および畝間の地面に農薬や肥料等の液体を散布する液体散布装置を提案している。この液体散布装置は、農作物の畝に沿って移動しながら、前記農作物の株元および畝間の地面に農薬や肥料等の液体を散布する液体散布装置であって、装置本体と、前記装置本体に設けられ、前記畝に沿って転動する車輪と、前記装置本体に設けられ、作業者によって操作されるハンドルと、前記装置本体に設けられ、前記液体を、農作物の株元および畝間の地面に噴出する散布ノズルとを備えている。
【先行技術文献】
【特許文献】
【０００７】
【特許文献１】特開平１１−２８３９７号公報
【特許文献２】特開２００９−１４２１６８号公報
【特許文献３】特開２００７−２５９７８１号公報
【考案の概要】
【考案が解決しようとする課題】
【０００８】
上記のとおり、従前においても畝や畝間に農薬や肥料などの液体を散布するのに適した液体散布装置は幾つか提案されている。
【０００９】
しかしながら、前記特許文献１で提案されている液体散布装置は、畝間に除草剤などの液体を散布する場合でも、ノズルより噴出された液体から畝の作物を防護しながら、畝間にだけ液体を散布することができるものの、土壌をスライド移動させるように構成されている事から、凹凸のある土壌における移動が容易ではなかった。
【００１０】
そこで本考案では、作物を擁護しながら液体を散布でき、更に甫場などのような凹凸のある農耕地においても移動を容易とした液体散布装置を提供する事を第１の課題とする。
【００１１】
また、前記特許文献１及び２で提案されている液体散布装置では、カバープレートや飛散防止プレート等によって所定の領域を覆う事により、農薬などの液体から畝の作物を防護する事が提案されている。しかしながら、何れもカバープレートや飛散防止プレート等の板状体によって、農薬などの液体が散布されない領域をカバーするものであった。この為、例えば強風の時などにおいては、散布した液体がカバープレートや飛散防止プレート等の板状体で覆われていない領域に飛散してしまい、農薬などの液体が農作物に付着してしまう事も懸念された。
【００１２】
そこで本考案では、風などの影響を受けにくいようにし、天候などに応じて、肥料や農薬などの液体を的確に散布できるようにした液体散布装置を提供する事を第２の課題とする。
【課題を解決するための手段】
【００１３】
上記課題の少なくとも何れかを解決するために、本考案では、圧送される液体を散布する為の散布部分が、少なくとも何れかの噴射ノズルの噴射方向を変更できるように形成した液体散布装置とするものである。
【００１４】
即ち、本考案にかかる液体散布装置は、圧送される液体を散布する為の散布部を備えた液体散布装置であって、当該散布部分は、当該圧送される液体を下方に向かって噴射させる上部噴射ノズルを備えた上部フレームと、当該上部フレームの長さ方向端部に設けられ、前記上部噴射ノズルから噴射される液体と交差する向きに圧送される液体を噴射させる側部噴射ノズルを備えた側部フレームとを具備し、当該側部フレームは、前記上部フレームに対して揺動自在に設けて構成する事ができる。
【００１５】
かかる液体散布装置では、散布部分における側部フレームを揺動自在に設けていることから、当該側部フレームに設けられている側部噴射ノズルも、当該側部フレームと共に揺動する事ができる。したがって、圧送される液体を側方から噴射させる側部噴射ノズルが揺動することができる為、側方から噴射させる液体の向きをコントロールする事ができる。これにより、液体の噴射領域のみならず、噴射方向も調整することができ、風などの周囲環境に応じて、これらを任意に調整し、英期待を正確に散布する事のできる液体散布装置が実現する。
【００１６】
本考案にかかる液体散布装置で散布できるのは液体であり、前記上部または側部の噴射ノズルから、ミスト状、液滴状又は霧状で放出可能なものであれば使用する事ができる。かかる液体は、殺菌剤、防黴剤、殺虫剤、除草剤、殺鼠剤、植物成長調整剤等の農薬に限らず、肥料や水など、様々なものについて使用する事ができる。かかる液体は手動又は電動ポンプや圧縮気体などによって加圧されて、前記上部噴射ノズルや側部噴射ノズルに導かれる。
【００１７】
本考案にかかる液体散布装置において、散布部分の上部フレームは、圧送される液体を下方に向かって噴射させる上部噴射ノズルを備えて構成される。かかる上部フレームは、横方向に長い棒状に形成する他、中央又は端部側を湾曲させた長尺状の部材として形成する事ができる。また、当該上部フレームは湾曲上に形成したり、複数の棒材を組み合わせて長尺に形成したりすることもでき、更に長尺な板部材を用いて形成する事ができる。そして、この上部フレームには、これに設けられる上部噴射ノズルに液体を案内する為のチューブ又はパイプを添設又は内挿して形成する事ができる。
【００１８】
上記散布部分において、上部フレームの長さ方向端部には、側部フレームが揺動自在に設けられる。かかる側部フレームは、上部フレームの長さ方向片端部に設ける他、両端部に設ける事もできる。かかる側部フレームを上部フレームの長さ方向両端部に設けた場合には、当該側部フレームは対向状に配置される事になり、相互に向かい合う方向に揺動自在に設けられる。そしてこの場合、上部フレームと、その両端部に設けられた２つの側部フレームとからなるフレーム部は、全体として亀甲括弧形状となる。即ち、上部フレームは、亀甲括弧形状に形成されており、前記側部フレームは長さ方向両端部に、相互に対向する向きに揺動自在に形成されている液体散布装置とする事ができる。このような亀甲括弧形状とした場合には、凸状に形成される畝を跨ぐような形状となることから、当該液体散布装置を畝の延伸方向に沿って移動させることにより、当該畝に対してだけ農薬や肥料等の液体を散布する事ができる。なお、上記上部フレームを亀甲格好形状に曲折し、その両端部から、ぞれぞれ側部フレームが延伸するように形成しても同様の作用効果を得る事ができる。
【００１９】
前記上部フレームに揺動自在に設けられる上記側部フレームは、当該上部フレームに対して軸着するか、ヒンジ又は柔軟性を有する樹脂部材等を用いて連結する事ができる。そして当該側部フレームの揺動は、作業者が、使用時において自在に制御できるようにする事が望ましい。よって当該液体散布装置は、側部フレームを揺動させるための揺動機構を備えることが望ましい。かかる揺動機構は、例えば側部フレームを引っ張るワイヤー、又はカムやリンク機構によって構成する事ができる。
【００２０】
そして上記した上部フレームには、下方に向かって液体を噴射させる上部噴射フレームが設けられる。この上部噴射フレームは放射状に液体を噴射させるものや、直線状に液体を噴射させるもの等を使用する事ができ、当該上部フレームに１個又は複数個設置する事ができる。また上記した側部フレームには、上部噴射ノズルから噴射される液体と交差する向きに液体を噴射させる側部噴射ノズルが設けられる。かかる側部噴射ノズルも、１つの側部フレームに１個又は複数個設ける事ができる。この側部噴射ノズルは、前記揺動自在に設けられた側部フレームに設けられていることから、当該側部フレームを揺動させることにより、その噴射方向を変化させることができる。特に、この側部フレームを前記上部フレームの両端部に、夫々対向状に設けた場合には、前記側部フレームを揺動させることにより、当該対向状に設けられている側部噴射ノズル同士の距離（間隔）も調整する事ができる。したがって、この場合には、畝の幅に合わせて、側部噴射ノズル同士の間隔を調整自在とした液体散布装置が実現する。
【００２１】
上記本考案にかかる液体散布装置は、スピードスプレーヤー等の様に自走式の液体散布装置として形成する他、作業者が手に持って操作する液体散布装置として形成することができる。即ち、上記該液体散布装置において、実際に液体を散布するノズルを備えた散布部分を上記のように形成する限りにおいて、散布する薬液を貯蔵するタンクや、液体を圧送する為の機構乃至は構成、更には当該液体散布装置を移動させるための機構などは、任意の構成とする事ができる。但し、より簡易な構成であって、使用困難性を低減する為には、作業者が担いで持ち運び、手に持って操作する手持ち式の液体散布装置とすることが望ましい。そして手持ち式の液体散布装置とする場合には、前記上部フレームには、把持部を備える操作杵が立ち上げ状に設けられると共に、使用者に装着する吊り下げ紐を連結して構成する事ができる。
【００２２】
即ち手持ち式の当該液体散布装置とする場合、実際に液体を散布するノズルを備えた散布部分を、作業者が手に持ってコントロールする際に、その操作性を向上させる為に、把持部を備える操作杵を、上部フレームに立ち上げ状に設けるものである。更に当該手持ち式の液体散布装置では、その散布作業に際して、散布部分の重さによる作業者への負担を軽減するために、当該散布部分を作業者に吊下げる為の吊り下げ紐を連結して構成するのが望ましい。かかる吊り下げ紐を設けて、これを作業者のベルトや肩などから吊り下げる事により、当該散布部分の重さを気にすることなく、液体の散布を行う事ができる。そして当該液体の散布範囲や向きは、作業者が把持部を持って操作杵をコントロールする事によって行う事ができる。
【００２３】
そして上記本考案にかかる液体散布装置では、前記散布部分における上部噴射ノズル及び側部噴射ノズルの少なくとも何れには、圧送される液体の噴射を制御する開閉手段を設けることが望ましい。かかる開閉手段は、開閉バルブやコック、或いは栓等によって形成する事ができる。かかる開閉手段を設ける事により、任意のノズルからのみ、圧送された液体を噴射させることができる。例えば、液体を噴射させるノズルを、上部噴射ノズルのみ、或いは側部噴射ノズルのみ等、任意のノズルを選択して噴射させることができる。
【００２４】
また、前記上部噴射ノズル及び側部噴射ノズルの少なくとも何れかは、噴射させた液体の噴射方向を任意に調整できるように形成する事もできる。その際、側部噴射ノズルは、側部フレームの揺動によって噴射方向を調整できるが、更に、当該側部フレームに対する側部噴射ノズルの取付位置においても噴射方向を調整できるように構成することにより、当該側部噴射ノズルの噴射方向をより一層広範囲に調整する事ができる。更に当該上部噴射ノズル及び側部噴射ノズルの少なくとも何れかは、圧送される液体を噴射させる際の拡がり具合や、噴射させた時の液滴サイズ（ミスト径など）を任意に調整できるように形成する事が望ましい。このようなノズルの構成は、散水ノズルの構成を参考に適宜設計する事ができる。
【考案の効果】
【００２５】
本考案の液体散布装置では、液体を散布する散布部分が、当該圧送される液体を下方に向かって噴射させる上部噴射ノズルを備えた上部フレームと、当該上部フレームの長さ方向端部に設けられ、前記上部噴射ノズルから噴射される液体と交差する向きに圧送される液体を噴射させる側部噴射ノズルを備えた側部フレームとを具備しており、当該側部フレームは、前記上部フレームに対して揺動自在に設けられている。よって、この側部フレームを揺動させることにより、側部噴射ノズルの噴射方向を任意に調整する事ができる。また、上記散布部分は上部フレームと側部フレームとで構成され、これらは凸状に形成されている畝を跨いだ状態に存在することができ、これを畝の延伸方向に移動させることにより、当該畝にだけ、選択的に農薬や肥料などの液体を散布する事ができる。これにより、農作物を擁護しながら液体を散布でき、甫場などのように凹凸のある農耕地においても移動を容易とした液体散布装置が実現する。
【００２６】
更に、上記側部フレームを揺動させることにより、畝の側面に対する側部噴射ノズルの距離を任意に調整する事ができる。この為、例えば風が強い状況下で肥料や農薬などの液体を散布する場合であっても、風などの影響を受けにくいようにし、目的とする場所に、液体を的確に散布できるようにした液体散布装置が実現する。
【図面の簡単な説明】
【００２７】
【図１】第１の実施の形態にかかる液体散布装置を示す斜視図
【図２】側部フレームの揺動動作を示す動作図
【図３】第二の実施の形態にかかる液体散布装置を示す動作図
【考案を実施するための形態】
【００２８】
以下、図面を参照しながら、幾つかの実施の形態にかかる液体散布装置10を具体的に説明する。特に以下に示す実施の形態は、手に持って操作する可搬式の液体散布装置10の例を示しているが、動力機関を伴う自走式の液体散布装置で実現する事もできる。
【００２９】
図１は、第１の実施の形態にかかる液体散布装置10を示す斜視図である。この実施の形態にかかる液体散布装置10は、薬剤や肥料などの液体を散布する散布部分30と、この散布部分30から延伸する操作杵15と、前記散布部分30に連結されると共に、使用者に連結される吊り下げ紐21と、薬剤や農薬などの液体を収容するタンク18とから構成されている。
【００３０】
前記散布部分30は、亀甲括弧状に形成された上部フレーム11と、当該上部フレーム11の長さ方向両端部から夫々延伸する側部フレーム12とで構成されている。本実施の形態において、当該上部フレーム11と側部フレーム12とは、側壁を設けた溝形鋼状のアルミ材で形成しており、これにより軽量化を実現しながらも剛性を高めている。また側部フレーム12の先端側を内側に曲折させている。これにより、当該側部フレーム12を広げた状態で液体を散布した場合であっても、当該曲折した先端側により、意図しない領域への飛散を阻止する事ができる。
【００３１】
前記各側部フレーム12は、前記上部フレーム11に対して揺動自在に設けられている。本実施の形態では、特にヒンジ25を使用して両者を連結している。但し、両者はヒンジ25以外（例えばゴムシートなど）で連結しても良い。更に上部フレーム11と側部フレーム12とを一体化された１つの部材として形成し、上部フレーム部分と側部フレーム部分との間に折り目を形成して、両者を曲折自在に形成する事もできる。即ち、上部フレーム11と側部フレーム12とは揺動自在に繋がっていれば良く、この限りにおいて任意の構造に形成する事ができる。
【００３２】
そして上部フレーム11には、タンク18から圧送される液体を下方に向かって噴射させる上部噴射ノズル13が設けられている。本実施の形態では、当該上部噴射ノズル13は、上部フレーム11の長さ方向の中央に１つ設けているが、これは２つ以上形成する事もできる、また当該上部噴射ノズル13を設けない（側部噴射ノズル14のみ）こともできる。また各側部フレーム12には、夫々、対向する向きに液体を噴射させる側部噴射ノズル14を設けている。本実施の形態では、各側部フレーム12に、夫々１つの側部噴射ノズル14を設けているが、これは２つ以上形成する事もできる。かかる上部噴射ノズル13及び側部噴射ノズル14は、タンク18からチューブ19を介して圧送される液体を液滴状またはミスト状にして吐出させるものであれば使用する事ができる。但し、ミスト径を任意に調整できるノズルを使用した場合には、散布する液体の種類に応じて、任意に変更する事ができる。
【００３３】
そして各側部フレーム12の内側には、揺動の為に、各側部フレーム12を引き寄せる為のケーブル27が連結されており、このケーブル27は、上部フレーム11に設けられている開閉自在なアーム部分26にも連結されている。このアーム部分26は、操作杵15の基端部に存在する把持部16に設けられたレバー17を操作する事により開閉動作することから、当該レバー17を操作してアーム部分26を開閉させることにより、当該開閉動作に伴って、当該アーム部分26に対してケーブル27で連結されている側部フレーム12も揺動することができる。
【００３４】
図２は、この側部フレーム12の揺動動作を示す動作図である。図２（Ａ）に示す様に、当該側部フレーム12は、常には上部フレーム11の端部側の傾斜部の延長方向に存在している。そして把持部16のレバー17を操作して、アーム部分26を開閉させることにより、各側部フレーム12は引き寄せられ、図２（Ｂ）に示す様に、相互に正対する方向に揺動する事ができる。
【００３５】
かかる側部フレーム12の揺動動作により、側部噴射ノズル14からの薬液の噴射方向を変化させることができる。しかも、この液体の噴射方向の変更は、散布作業に際して、作業者が手元のレバー17を操作する事によって行う事ができる。よって、作物の生育状況や耕作地の状況の変化に応じて、的確に液体の散布方向を変化させることができる。
【００３６】
更に上記側部フレーム12の揺動動作により、当該側部噴射ノズル同士の距離も任意に変化させることができる。よって、当該液体を散布する畝などの幅に合わせて、任意に散布領域を調整する事ができる。かかる側部噴射ノズル同士の間隔の調整も、作業者が手に持って操作する把持部16に設けたレバー17によって行う事ができるため、作業時の環境変化に応じて、迅速に対応する事ができる。よって、例えば薬剤や肥料の散布時に強い風が吹いた場合には、レバー17を操作して側部噴射ノズル同士の間隔を狭め、散布している液体が風によって周囲に飛散しない様に制御することができる。
【００３７】
特に、上記の様に側部フレーム12の傾きを変化させることにより、側部噴射ノズル14同士の距離や噴射方向を任意に制御できることから、耕作地において畝の除草作業に際して、除草剤を散布する際でも、畝の幅や高さ、或いは畝間の距離を考慮した上で、その状況に応じて除草剤を散布する事ができ、周囲の作物に対する除草剤の付着の問題を解消する事ができる。
【００３８】
なお、上記アーム部分26を開閉させるレバー17は、自由に動くことができるように構成する他、レバー17を引いた状態又は離した状態を維持できるようなロック機構を伴って形成する事ができる。更にアーム部分26の開閉状態を任意の状態に維持できるように形成する事も望ましい。液体の散布範囲が一定である場合に、当該レバー17を操作する必要なく、散布作業を行えるようにするためである。
【００３９】
また、本実施の形態では、アーム部分26の先端と、側部フレーム12の内側にはリング部材24を設け、このリング部材24同士をケーブル27で連結している。これにより、ケーブル27の長さを容易に変更する事ができることから、前記各側部フレーム12の延伸方向や揺動角を任意に調整できる。なお、当該アーム部分26の先端と、側部フレーム12の内側との連結は、特に長さの変更を要しない場合には、棒状のロッドによって連結する事もできる。
【００４０】
上記の様に亀甲括弧状の上部フレーム11と、その長さ方向両端から延伸上に設けられた側部フレーム12とは、全体として亀甲括弧形状に形成されており、薬剤や肥料などの液体を散布した場合における飛散方向を中央側に集中させることができる。かかる液体の散布範囲をより確実にする場合には、更に当該上部フレーム11、側部フレーム12、又は上部フレーム11と側部フレーム12を覆うように、飛散防止カバーを設ける事もできる。かかる飛散防止カバーは、図示していないものの、各フレームから幅方向下向きに展開する傘状に形成する事ができる。
【００４１】
そして本実施の形態にかかる液体散布装置10は、作業者が手に持って操作するように形成されていることから、散布作業時における負担を軽減するために、前記散布部分30（上部フレーム11）には、吊り下げ紐21が設けられている。本実施の形態において、この吊り下げ紐21は作業者のベルト23等に引っ掛ける事ができる様に、先端側にはフック22を設けている。かかる吊り下げ紐21は、少なくとも散布部分30を作業者の身体に吊下げることができればよく、従って作業者のベルト23以外にも、肩や首に吊下げる事ができる様に形成しても良い。
【００４２】
また、本実施の形態にかかる液体散布装置10は、前記上部噴射ノズル13及び側部噴射ノズル14に圧送する液体を貯留するタンク18を備えている。このタンク18はコンプレッサーやポンプなどの動力を伴っていても良く、或いは当該タンク18内を加圧状態にして液体を圧送する圧縮ポンプを伴っていても良い。かかるタンク18は液体が収容されることから、一定の質量になることが考えられる。そこでこのタンク18には、作業者の方などに吊下げる吊り下げバンドを設けたり、車輪を伴うキャリア等に載せ置いて使用する事ができる。
【００４３】
そして上記タンク18と各噴射ノズル（13,14）とは、圧送された液体が移動するチューブ19で繋がっている。本実施の形態において、このチューブ19には、何れかのノズルを任意に選択できる開閉手段20として、コックを設けている。かかる開閉手段20を設ける事により、上部噴射ノズル13だけ、側部噴射ノズル14（両方又は片方）だけ、上部噴射ノズル13と何れかの側部噴射ノズル14だけ、全ての噴射ノズルなどの様に、様々なパターンで液体を散布する事ができ、散布場所、及び状況等によって、任意に調整する事が可能になる。
【００４４】
次に図３を参照しながら、第２の実施の形態にかかる液体散布装置50を説明する。この図３においては、前記図１と同様の機能を有する部材には図３中に同一記号を付して、その詳細な説明を省略する。特にこの実施の形態における液体散布装置10は、上部フレーム11を直線状に形成すると共に、その長さ方向両端部には、ヒンジ25を介して揺動自在に側部フレーム12を設けている。そして上部フレーム11には上部噴射ノズル13を設け、左右の側部フレーム12には、夫々側部噴射ノズル14を設けている。
【００４５】
この第２の実施の形態にかかる液体散布装置50では、左右の側部フレーム12同士間には、バネやゴムなどの弾性部材29を架設状態で設けている。そして、この弾性部材29によって、左右の側部フレーム同士を引き寄せる向きに付勢している事から、双方ともに内側に向く状態となっている（図３（Ａ））。
【００４６】
各側部フレーム12の外側には、ケーブル27が連結されており、当該ケーブル27は作業者の手元側まで延伸している。そこで作業者は、リング体28を操作して当該ケーブル27を引っ張ることにより、前記対向状態の側部フレーム12の先端側を開かせることができる。特に本実施の形態では、左右両方の側部フレーム12を揺動させているが、何れかの側部フレーム12に連結されているケーブル27を引っ張れば、当該引っ張られた側の側部フレーム12だけを選択的に揺動させることもできる。
【００４７】
かかる第２の実施の形態に示した液体散布装置50においても、側部フレーム12は、上部フレーム11に対して揺動自在に設けられていることから、当該側部フレーム12を揺動させることにより、側部噴射ノズル14の噴射向きや、側部噴射ノズル14同士の間隔を任意に調整する事ができる。
【００４８】
なお、この図３において、散布する液体を貯留するタンク18や、タンク18の液体を噴射ノズルまで案内するチューブ19は図示していないが、前記第１の実施の形態に示した通り、適宜設置すべきである事は勿論である。
【産業上の利用可能性】
【００４９】
本考案の液体散布装置は、農薬などの薬剤や肥料等の液体を散布する為の装置として、農業分野において使用する事ができる。更に、この液体散布装置は、例えば接着剤や塗料などを散布する為の装置としても使用する事ができ、農業分野に限ることなく、例えば建築分野や製造分野においても利用する事ができる。
【符号の説明】
【００５０】
10    液体散布装置
11    上部フレーム
12    側部フレーム
13    上部噴射ノズル
14    側部噴射ノズル
15    操作杵
16    把持部
17    レバー
18    タンク
19    チューブ
20    開閉手段
21    紐
22    フック
23    ベルト
24    リング部材
25    ヒンジ
26    アーム部分
27    ケーブル
28    リング体
29    弾性部材
30    散布部分
50    液体散布装置
【図１】
0003208348.tif 000003
【図２】
0003208348.tif 000004
【図３】
0003208348.tif 000005